(57)【要約】      （修正有）【課題】スティックに収容された発光装置又はスティックが破損しにくい発光装置収容スティック用のストッパを提供する。【解決手段】複数の発光装置を収容可能な筒状のスティックの端部に着脱自在に取り付けられるストッパであって、スティックの端面に係止される係止部１と、係止部に連結されるフィン部２と、フィン部に連結される先端部３と、を備え、先端部の先端面は、上端と下端から離間する位置に凹部３ｄを備える。【選択図】図１Ａ
0003213763.tif 000002
【実用新案登録請求の範囲】
【請求項１】
複数の発光装置を収容可能な筒状のスティックの端部に着脱自在に取り付けられるストッパであって、
前記スティックの端面に係止される係止部と、前記係止部に連結されるフィン部と、前記フィン部に連結される先端部と、を備え、
前記先端部の先端面は、上端及び下端から離間する位置に凹部を備えることを特徴とするストッパ。
【請求項２】
前記凹部の横幅は、前記先端面の横幅と同じである、請求項１記載のストッパ。
【請求項３】
前記凹部の縦幅は、前記発光装置の厚みよりも大きい、請求項１又は請求項２記載のストッパ。
【請求項４】
前記スティックは、その内面に前記発光装置が載置される２つのガイド部を有し、前記スティックは、２つの前記ガイド部間の距離よりも小さい、請求項１〜請求項３のいずれか１項に記載のストッパ。
【考案の詳細な説明】
【技術分野】
【０００１】
本考案は、発光装置収容スティック用のストッパに関する。
【背景技術】
【０００２】
ＬＥＤ（Ｌｉｇｈｔ  Ｅｍｉｔｔｉｎｇ  Ｄｉｏｄｅ）などの発光装置は、筒状のスティックに収容されて移送される。スティックの端部には、弾力性のあるストッパが着脱自在に取り付けられており、移送中に発光装置が脱落するのを防いでいる（例えば、特許文献１）。
【先行技術文献】
【特許文献】
【０００３】
【特許文献１】特開平９−１４２５６８号公報
【考案の概要】
【考案が解決しようとする課題】
【０００４】
スティックに収容された発光装置又はスティックが、ストッパとスティックの間に挟まれて、破損する場合がある。
【課題を解決するための手段】
【０００５】
本考案の実施形態は、以下の構成を含む。
複数の発光装置を収容可能な筒状のスティックの端部に着脱自在に取り付けられるストッパであって、スティックの端面に係止される係止部と、係止部に連結されるフィン部と、フィン部に連結される先端部と、を備え、先端部の先端面は、上端と下端から離間する位置に凹部を備える。
【考案の効果】
【０００６】
上記により、スティックに収容された発光装置又はスティックが破損しにくくすることができる。
【図面の簡単な説明】
【０００７】
【図１Ａ】実施形態に係るストッパの一例を示す概略断面図である。
【図１Ｂ】実施形態に係るストッパの一例を示す概略上面図である。
【図２】実施形態に係るスティックの一例を示す概略斜視図である。
【図３Ａ】実施形態に係る発光装置を収容したスティックにストッパを挿入した状態を示す概略側面図である。
【図３Ｂ】図３Ａの３Ｂ−３Ｂ線における概略断面図である。
【図３Ｃ】図３Ｂの３Ｃ−３Ｃ線における概略断面図である。
【図４】実施形態に係る発光装置の一例を示す概略斜視図である。
【図５】実施形態に係るスティックに発光装置を収容した状態を示す概略断面図である。
【考案を実施するための形態】
【０００８】
本考案を実施するための形態を、以下に図面を参照しながら説明する。ただし、以下に示す形態は、本考案の技術思想を具体化するためのストッパを例示するものであって、本考案は、ストッパを以下に限定するものではない。
【０００９】
また、本明細書は、実用新案登録請求の範囲に示される部材を、実施の形態の部材に特定するものでは決してない。特に、実施の形態に記載されている構成部品の寸法、材質、形状、その相対的配置等は、特定的な記載がない限りは、本開示の範囲をそれのみに限定する趣旨ではなく、単なる説明例にすぎない。尚、各図面が示す部材の大きさや位置関係等は、説明を明確にするため誇張していることがある。さらに以下の説明において、同一の名称、符号については同一もしくは同質の部材を示しており、詳細説明を適宜省略する。
【００１０】
図１Ａ、図１Ｂは、実施形態に係るストッパ１０を示す。ストッパ１０は、係止部１と、フィン部２と、先端部３と、を備える。
【００１１】
図２は、スティック２０の一例を示しており、複数の発光装置を収容可能な筒状体である。ストッパ１０は、このようなスティック２０の端部に着脱自在に取り付けられる。
【００１２】
図３Ａ〜図３Ｃは、発光装置３０を収容したスティック２０と、スティック２０の端部に取り付けられたストッパ１０の一例である。スティック２０のストッパ１０は、係止部１によってスティック２０の端面２１に係止される。従ってストッパ１０の先端部３及びフィン部２はスティック２０内に配置され、係止部１はスティック２０外に配置される。
【００１３】
ストッパ１０の係止部１は、スティック２０の上壁側の端面２１に係止されるよう、上側に延出した形状である。ただし、ストッパ１０の係止部１は、これに限らず、スティック２０の側壁の端面や、スティック２０の下壁の端面に係止される部分を備えていてもよい。ストッパ１０の幅は、スティック２０の幅、発光装置３０の幅等に応じて適宜選択することができる。ここでは、ストッパ１０の幅は、発光装置３０の幅よりも狭い例を示している。これに限らず、ストッパ１０の幅は、発光装置３０の幅と同じ、又は発光装置３０の幅よりも広い幅としてもよい。
【００１４】
ストッパ１０のフィン部２は、係止部１に連結された部分であり、複数の突起２ａを含む部分を指す。フィン部２は、スティック２０の内面に当接する面を備えることで、ストッパ１０の脱落を防止しつつ、着脱時の抵抗を低減する部分である。
【００１５】
ここで示す例では、フィン部２は、上側に３つ、下側に３つの突起２ａを備える。これに限らず、突起２ａの数は、２〜５つ程度あってもよい。突起２ａの高さはスティック２０の内径等に応じて適宜変更することが好ましい。
【００１６】
突起２ａは、断面視において、例えば図１Ａに示すような、側面が傾斜した台形とすることができる。突起２ａの側面の角度は、例えは、先端部３側の側面が水平面に対して４５度〜６０度とすることができる。また、突起２ａの側面のうち、係止部１側の側面の角度は、例えば、水平面に対して１００度〜１２０度とすることができる。
【００１７】
先端部３は、フィン部２に連結される部分であり、スティック２０の内部に収容された発光装置３０に接する部分である。図１Ａに示すように、ストッパ１０の先端部３の先端面３ａは、その上端３ｂ及び下端３ｃから離間する位置に凹部３ｄを備える。
【００１８】
この凹部３ｄは、ストッパ１０の先端面において、図１Ｂに示すように、ストッパ１０の先端面３ａの幅（横幅）と同じ幅（横幅）である。換言すると、凹部３ｄは、ストッパ１０の先端部３の一方の側面から他方の側面に達している。そして、図３Ｃに示すように、この凹部３ｄに、発光装置３０の側面が当接している。また、凹部３ｄの深さ（先端面３ａからの深さ）は、最も深いところで３００μｍ〜１０００μｍ程度とすることができる。また、凹部３ｄは、半円柱状であることが好ましい。また、凹部３ｄの上下方向の幅（縦幅）は、発光装置３０の厚みよりも大きいことが好ましい。これにより、凹部３ｄのみが発光装置３０と接することができる。
【００１９】
ストッパ１０の先端面３ａに凹部３ｄを備えることで、スティック２０の内面とストッパ１０との間に発光装置３０が挟まれにくくすることができる。これにより、発光装置３０が破損することを抑制することができる。
【００２０】
ストッパ１０は、シリコーンゴムなどの弾性部材で構成される。そのため、発光装置３０がセラミック基板などの硬い基板を用いていると、ストッパ１０を変形させ易い。その際に、ストッパ１０の先端面３ａが平らな面であると、発光装置３０がスティック１０の内面とストッパ１０との間に挟まれ易いが、ストッパ１０の先端面３ａに凹部３ｄを備えることで、挟まれにくくすることができる。
【００２１】
ストッパ１０の材料としては、例えば、シリコーンゴム、エラストマー等が挙げられる。また、ストッパ１０の硬さは、例えば、ショアＡ４０〜８０程度のものを用いることができる。
【００２２】
図４は、発光装置３０の一例であり、例えばセラミック基板上に発光素子が載置され、その発光素子を樹脂等で封止した構造を備える。図５は、スティック２０内に発光装置３０を収容した状態を示す。
【００２３】
スティック２０は、図２に示すように、長尺の筒状の部材であり、少なくとも一方の端部は開口している。一方の端部から他方の端部まで、同じ幅で構成されている。スティック２０の長さや幅等は、収容する発光装置３０の形状や大きさ等によって適宜選択することができる。ここで示す例では、スティック２０の開口部形状（断面形状）は、上側に幅狭部２２、下側に幅広部２３を備えた凸状である。また、幅広部２３の下面には２つのガイド部２４を備えている。尚、スティック２０の開口部形状はこれに限らず、収容する発光装置の形状に応じて適宜選択することができる。また、ガイド部２４を備えないスティック２０でもよい。
【００２４】
図５に示すように、発光装置３０は、主としてスティック２０の幅広部２３内に収容されている。また、２つのガイド部２４の上にわたって載置されている。幅狭部２２は、発光装置３０の幅より狭くなっており、幅狭部２２と幅広部２３との間の内面が発光装置３０の上面の端部と対向している。
【００２５】
このようなガイド部２４を備える場合、ストッパ１０の先端面３ａの下端３ｃから凹部３ｄの下端までの高さが、ガイド部２４の高さと同じ程度とすることが好ましい。すなわち、凹部３ｄの全部又はほとんどの部分が、ガイド部２４よりも上に配置されることが好ましい。
【００２６】
このような幅狭部２２及び幅広部２３を備えるスティック２０の場合、ストッパ１０の幅は、スティック２０の幅狭部２２の幅よりも狭くすることが好ましい。また、２つのガイド部２４を備えるスティック２０の場合、ストッパ１０の幅は、２つのガイド部２４間の距離よりも小さいことが好ましい。
【符号の説明】
【００２７】
１０…ストッパ
１…係止部
２…フィン部
２ａ…突起
３…先端部
３ａ…先端面
３ｂ…上端
３ｃ…下端
３ｄ…凹部
２０…スティック
２１…端面
２２…幅狭部
２３…幅広部
２４…ガイド部
３０…発光装置
【図１Ａ】
0003213763.tif 000003
【図１Ｂ】
0003213763.tif 000004
【図２】
0003213763.tif 000005
【図３Ａ】
0003213763.tif 000006
【図３Ｂ】
0003213763.tif 000007
【図３Ｃ】
0003213763.tif 000008
【図４】
0003213763.tif 000009
【図５】
0003213763.tif 000010